(57)【特許請求の範囲】
【請求項１】
洗浄槽と、前記洗浄槽内の所定の水位を検知する水位検知手段と、前記水位検知手段より上方に設けられて前記洗浄槽内に泡が発生したこと、又は異常に水位が高くなったことを検知する泡検知手段と、前記洗浄槽内の水を排水する排水手段と、前記泡検知手段により泡の発生を検知すると前記排水手段を間欠駆動する消泡行程を行う制御手段とを備え、前記制御手段は、消泡行程中に前記排水手段を一定時間駆動した後も前記水位検知手段が水有りを検知している場合は、溢水異常と判断するようにした食器洗い機。
【請求項２】
洗浄槽と、前記洗浄槽内に泡が発生したことを検知する泡検知手段と、前記洗浄槽内の水を排水する排水手段と、前記泡検知手段により泡の発生を検知すると前記排水手段を間欠駆動する消泡行程を行う制御手段とを備え、前記制御手段は、消泡行程の１サイクルの時間の内、排水手段の動作する時間の比率を一定以上に設定した食器洗い機。
【請求項３】
開口部を有する洗浄槽と、前記洗浄槽内に泡が発生したことを検知する泡検知手段と、前記洗浄槽内の水を排水する排水手段と、前記洗浄槽内に給水する給水手段と、前記洗浄槽の開口部を覆うふたと、前記ふたが開いていることを検知するふた開検知手段と、前記泡検知手段により泡の発生を検知すると前記排水手段を間欠駆動する消泡行程を行う制御手段とを備え、前記制御手段は、消泡行程中に前記ふた開検知手段によってふたが開いていると判断しても、前記排水手段以外は動作させずに消泡行程を継続するようにした食器洗い機。
【発明の詳細な説明】
【０００１】
【発明の属する技術分野】
本発明は、食器の洗浄を行う食器洗い機に関するものである。
【０００２】
【従来の技術】
従来、この種の食器洗い機は図４〜図６に示すように構成していた。以下、その構成について説明する。
【０００３】
図５に示すように、洗浄槽１は、食器類２を内部に収容するとともに、給水弁３から洗浄水を供給し、底部に溜めている。洗浄ノズル４は、洗浄槽１内に回転自在に支持し、食器類２に向けて洗浄水を噴出する。洗浄ポンプ５は洗浄水を洗浄ノズル４に送り込むものである。水位検知手段６は、洗浄槽１内の水位を検知し、電気信号として出力する。泡検知手段７は、洗浄槽１内の泡発生を検知し、電気信号として出力する。
【０００４】
ヒータ８は、洗浄槽１の底部に配設して洗浄水を加熱する。サーミスタ９は、洗浄槽１の底部に外側より密着するように取り付け、洗浄水の水温や洗浄槽１の温度を熱伝導により検知する。排水ポンプ１０は洗浄槽１内の洗浄水を排出するものである。送風ファン１１は、洗浄槽１内の蒸気を送り出すもので、排気口１２より機外へ排出される。食器かご１３は、食器類２を配置するものである。ふた１４は洗浄槽１の内部に収納した食器類２の出し入れの際に開閉するものであり、このふた１４が開いているか、閉じているかをふた開検知手段１５により検知する。
【０００５】
制御装置１６は、給水弁３、洗浄ポンプ５、ヒータ８、排水ポンプ１０、送風ファン１１などを制御して、洗い、すすぎ、乾燥の各行程を逐次制御するもので、図４に示すように構成している。
【０００６】
入力手段１７は、図６に示すように、電源を入り切りする電源スイッチ１７ａ、運転開始および一時停止を行うスタートスイッチ１７ｂ、コースを設定するコーススイッチ１７ｃ、乾燥時間を設定する乾燥スイッチ１７ｄなどで構成している。
【０００７】
制御手段１８は、マイクロコンピュータで構成し、入力手段１７により設定された入力に応じて負荷制御手段１９を介して、給水弁３、洗浄ポンプ５、ヒータ８、排水ポンプ１０、送風ファン１１などの負荷と、表示手段２０や報知手段２１を予め定められたシーケンスに沿って制御する。
【０００８】
表示手段２０は発光ダイオードで構成しており、図６に示すように、コース内容を表示するコース表示部２０ａ、乾燥内容を表示する乾燥表示部２０ｂ、運転状態を表示する運転表示部２０ｃ、ふた１４の開閉状態を表示するふた開表示部２０ｄなどで構成している。また、報知手段２１は圧電ブザーによって構成している。また、電源回路２２は、制御手段１８などの電源を生成するものである。
【０００９】
上記構成において動作を説明すると、使用者が食器類２を食器かご１３に配置して洗浄槽１に収納し、洗剤を入れ、ふた１４を閉めた後に運転を開始すると、まず洗浄槽１の底部に水位検知手段６により所定の水位を検知するまで給水弁３から水道水を給水する。所定の水位まで給水すると、洗浄ポンプ５およびヒータ７に通電され、洗浄水は加熱されながら洗浄ポンプ５により食器類２に向けて洗浄ノズル４から噴出される。
【００１０】
このとき、サーミスタ８により洗浄水の水温を検知し、制御装置１６は常に洗浄水の水温を把握している。洗浄水の水温が所定の水温に到達し、かつ、洗浄開始から所定時間経過したとき、制御装置１６は洗い行程を終了し、排水ポンプ１０に通電して、一旦洗浄水を排水する。
【００１１】
つぎに、新たに水道水を給水し、前述の洗浄行程と同様の動作を数分間行い排水する。このすすぎ行程を数回くり返した後、加熱すすぎ行程と称する洗い行程と同様の動作を行い、所定水温に到達し、かつ、所定時間経過したとき、これを終了として排水する。最後に送風ファン１１を運転して洗浄槽１内の蒸気を機外へ排出すると同時に、ヒータ７に間欠に通電を行い食器類２を加熱して、付着している水滴を乾燥させる。
【００１２】
この一連の動作中に、洗浄槽１内に泡が発生した場合、泡検知手段７が泡発生を検知して、通常運転とは異なる消泡行程に移行する。消泡行程では、排水ポンプ１０を間欠動作させたり、排水ポンプ１０の間欠の途中に給水弁３や洗浄ポンプ５を駆動することで、泡を洗い流す。
【００１３】
【発明が解決しようとする課題】
近年、食器洗い機の普及によって、食器洗い機専用洗剤を使用せず一般の台所用洗剤を使用されることも出てきた。この場合、大量の泡が発生し洗浄できなくなってしまう。また、泡検知手段７によって泡の発生を検知したからといって動作を停止させた場合大量の泡が残ってしまうため、つぎの運転時も正常に運転できなくなってしまうことがあった。
【００１４】
そこで、泡検知手段７が泡発生を検知した場合、通常運転とは異なる消泡行程に移行させていた。
【００１５】
しかしながら、従来の構成では、泡検知手段７が泡発生を検知しても泡発生と断定できず、異常に水位が高くなった溢水状態と区別がつかなかった。そこで、消泡行程を終了した後でも泡検知手段７が泡発生を検知していた場合に、初めて溢水と判断するようにしていた。
【００１６】
本発明は上記従来の課題を解決するもので、消泡行程の途中でも溢水状態を判断し、より早期に溢水対策の処理に移るようにして安全性を高めることを第１の目的としている。
【００１７】
また、給水弁の開放故障など拡大被害につながる故障が生じていたとしても、消泡行程中に水位が上昇しないようにして、または水位が異常に上昇しないようにして、機外に水が溢れるのを防止することを第２の目的としている。
【００１８】
【課題を解決するための手段】
本発明は上記第１の目的を達成するために、水位検知手段より上方に設けられた泡検知手段により洗浄槽内に泡が発生したこと、又は異常に水位が高くなったことを検知すると、制御手段により洗浄槽内の水を排水する排水手段を間欠駆動する消泡行程を行うよう構成し、制御手段は、消泡行程中に排水手段を一定時間駆動した後も、洗浄槽内の所定の水位を検知する水位検知手段が水有りを検知している場合は、溢水異常と判断するようにしたものである。
【００１９】
これにより、溢水状態にも関わらず消泡行程を実行したとしても、消泡行程の途中でも溢水状態を判断することができ、より早期に溢水対策の処理に移り、安全性を高めることができる。
【００２０】
また、第２の目的を達成するために、泡検知手段により洗浄槽内に泡が発生したことを検知すると、制御手段により洗浄槽内の水を排水する排水手段を間欠駆動する消泡行程を行うよう構成し、制御手段は、消泡行程の１サイクルの時間の内、排水手段の動作する時間の比率を一定以上に設定したものである。
【００２１】
これにより、給水弁の開放故障など拡大被害につながる故障が生じているにも関わらず消泡行程を実行したとしても、消泡行程中に水位が上昇しないように、または水位が異常に上昇しないようにできて、機外に水が溢れるのを防止することができる。
【００２２】
【発明の実施の形態】
本発明の請求項１に記載の発明は、洗浄槽と、前記洗浄槽内の所定の水位を検知する水位検知手段と、前記水位検知手段より上方に設けられて前記洗浄槽内に泡が発生したこと、又は異常に水位が高くなったことを検知する泡検知手段と、前記洗浄槽内の水を排水する排水手段と、前記泡検知手段により泡の発生を検知すると前記排水手段を間欠駆動する消泡行程を行う制御手段とを備え、前記制御手段は、消泡行程中に前記排水手段を一定時間駆動した後も前記水位検知手段が水有りを検知している場合は、溢水異常と判断するようにしたものであり、溢水状態にも関わらず消泡行程を実行したとしても、消泡行程の途中でも溢水状態を判断することができ、より早期に溢水対策の処理に移り、安全性を高めることができる。
【００２３】
請求項２に記載の発明は、洗浄槽と、前記洗浄槽内に泡が発生したことを検知する泡検知手段と、前記洗浄槽内の水を排水する排水手段と、前記泡検知手段により泡の発生を検知すると前記排水手段を間欠駆動する消泡行程を行う制御手段とを備え、前記制御手段は、消泡行程の１サイクルの時間の内、排水手段の動作する時間の比率を一定以上に設定したものであり、給水弁の開放故障など拡大被害につながる故障が生じているにもかかわらず消泡行程を実行したとしても、消泡行程中に水位が上昇しないように、または水位が異常に上昇しないようにできて、機外に水が溢れるのを防止することができる。
【００２４】
請求項３に記載の発明は、開口部を有する洗浄槽と、前記洗浄槽内に泡が発生したことを検知する泡検知手段と、前記洗浄槽内の水を排水する排水手段と、前記洗浄槽内に給水する給水手段と、前記洗浄槽の開口部を覆うふたと、前記ふたが開いていることを検知するふた開検知手段と、前記泡検知手段により泡の発生を検知すると前記排水手段を間欠駆動する消泡行程を行う制御手段とを備え、前記制御手段は、消泡行程中に前記ふた開検知手段によってふたが開いていると判断しても、前記排水手段以外は動作させずに消泡行程を継続するようにしたものであり、給水弁の開放故障など拡大被害につながる故障が生じているにもかかわらず消泡行程を実行したときにふたが開けられたとしても、排水手段以外の負荷を停止させることで安全性を確保しながらも、洗浄槽内の水位が上昇しないように、または水位が異常に上昇しないようにできて、機外に水が溢れるのを防止することができる。
【００２５】
【実施例】
以下、本発明の実施例について、図面を参照しながら説明する。なお、従来例と同じ構成のものは同一符号を付して説明を省略する。
【００２６】
（実施例１）
図１に示すように、制御手段２３は、マイクロコンピュータで構成し、入力手段１７により設定された入力とサーミスタ９が計測した水温に応じて負荷制御手段１９を介して、給水弁３、洗浄ポンプ５、ヒータ８、排水ポンプ（排水手段）１０、送風ファン１１などの負荷を予め定められたシーケンスに沿って制御する。また、ふた開検知手段１５にてふた１４が開いている間は負荷の動作を停止し、シーケンスを停止する。また、泡検知手段１７にて洗浄槽１内の泡発生を検知しており、泡発生時に消泡行程を運転する。また、水位検知手段６にて、洗浄槽１内の水位を検知している。
【００２７】
この制御手段２３は、泡検知手段１７にて洗浄槽１内の泡発生を検知した場合、消泡行程を運転するとともに、排水ポンプ１０を一定時間駆動した後に水位検知手段６が水有りを検知している場合には、溢水異常と判断するようにしている。また、消泡行程の１サイクルの時間の内、排水ポンプ１０の駆動する時間の比率を８０％以上に設定している。他の構成は従来例と同じである。
【００２８】
上記構成において図２を参照しながら動作を説明する。図２に示すように、制御手段２３は運転を開始すると、常時、泡検知手段７にて泡の発生を監視している。ステップ２４にて泡検知手段７により泡の発生を検知すると、消泡行程を運転する。
【００２９】
まず、ステップ２５にて排水ポンプ１０を３０秒間駆動する。これで洗浄槽１内に残っている泡が発生した水を排水する。その後、ステップ２６にて水位検知手段６が水有りを検知していた場合はステップ２７に移動し、消泡行程を抜ける。そして溢水異常と判断し溢水処理を行う。
【００３０】
本来なら、ステップ２５にて排水ポンプ１０を３０秒間も駆動すると洗浄槽１内の水はほぼ排水できるはずであるが、それにも関わらず排水できていない場合は泡が発生したわけではなく、給水弁３が開放故障した場合や水位検知手段６の故障などが考えられる。このような状態で消泡行程を継続していては機外に水が溢れてしまうかもしれない。また、少しでも早く溢水異常を検知することでより安全性を高めることができる。
【００３１】
ステップ２６にて、水なしと検知した場合は、ステップ２８にて５秒間停止し、ステップ２９にて排水ポンプ１０を３０秒間駆動し、ステップ３０にて水位検知手段６によって水の有無を確認する。水有りとなった場合は、ステップ２７にて溢水処理を行う。
【００３２】
つぎに、ステップ３１にて所定水位まで給水する。このとき、水位検知手段６の故障なども考慮し、最大５０秒間に制限している。ステップ３１にて所定水位まで給水されたか５０秒間経過した場合、ステップ３２にて水位検知手段６の状態に関わらず強制的に７秒間給水を行う。これは本来の水位以上に存在する泡を消すために意図的に水位を上昇させている。
【００３３】
つぎに、ステップ３３にて排水ポンプ１０を３０秒間駆動する。ステップ３３からステップ３７までは、ステップ２５からステップ３０までと同じ動作であるので、説明を省略する。
【００３４】
ステップ３７にて、水なしと判断した場合、ステップ３８にて２回繰り返したかを判断する。もし１回しか行っていない場合、ステップ３１に戻り、ステップ３１からステップ３７までを再度行う。
【００３５】
もし、ステップ３８にて２回繰り返していた場合、ステップ３９にて所定水位まで給水する。このときも水位検知手段６の故障も考慮し、最大５０秒間に制限している。ステップ３９にて所定水位まで給水されたか５０秒間経過した場合、ステップ４０にて洗浄ポンプ５を７秒間駆動する。これは洗浄槽１内に付着した泡を取り除くためである。
【００３６】
つぎに、ステップ４１にて排水ポンプ１０を３０秒間駆動する。ステップ４１からステップ４５までは、ステップ２５からステップ３０までと同じ動作であるので、説明を省略する。
【００３７】
ステップ４５にて、水なしと判断した場合、ステップ４６にて２回繰り返したかを判断する。もし１回しか行っていない場合ステップ３９に戻り、ステップ３９からステップ４５までを再度行う。もし、ステップ４６にて２回繰り返していた場合、ステップ４７にて消泡行程を終了する。
【００３８】
本実施例における消泡行程の１サイクルとは、ステップ２５からステップ３０まで（以下、サイクルＡ）と、ステップ３１からステップ３７まで（以下、サイクルＢ）と、ステップ３９からステップ４５まで（以下、サイクルＣ）となる。ここで、給水弁３が開放故障していた場合、サイクルＡの時間６５秒間給水されつづけることになる。この内、排水ポンプ１０の駆動時間が６０秒間となり、排水ポンプ１０の駆動比率は約９２％となる。
【００３９】
また、サイクルＢにおいては、給水弁３が開放故障していた場合、水位検知手段６により常に水有りを検知しているため、ステップ３１の給水時間が０秒となる。つまり、サイクルＢの時間７２秒間給水されつづけることになる。この内、排水ポンプ１０の駆動時間が６０秒間となり、排水ポンプ１０の駆動比率は約８３％となる。
【００４０】
また、サイクルＣも同様に、時間７２秒間給水されつづけることになる。この内、排水ポンプ１０の駆動時間が６０秒間となり、排水ポンプ１０の駆動比率は約８３％となる。
【００４１】
本実施例の給水弁３の開放故障時の給水流量を最大６Ｌ／ｍｉｎ、排水ポンプの排水能力を最低７．５Ｌ／ｍｉｎとした場合、サイクルＢでは６Ｌ／ｍｉｎで７２秒間給水されることになり、７．５Ｌ／ｍｉｎで６０秒間排水することになる。サイクルＢの給水量は７．２Ｌ、排水量は７．５Ｌとなり排水量の方が多いため、水位が上昇することはない。つまり、１サイクルの排水ポンプ１０の駆動比率を８０％以上に設定すれば、１サイクル中に水位が上昇することはなく、水が溢れるのを回避できる。
【００４２】
このように本実施例によれば、溢水状態にも関わらず消泡行程を実行したとしても、消泡行程の途中でも溢水状態を判断することができ、より早期に溢水対策の処理に移り、安全性を高めることができる。
【００４３】
また、給水弁３の開放故障など拡大被害につながる故障が生じているにもかかわらず消泡行程を実行したとしても、消泡行程中に水位が上昇しないようにできて、または水位が異常に上昇しないようにできて、機外に水が溢れるのを防止することができる。
【００４４】
なお、本実施例では、給水時間を最大５０秒間にし、排水ポンプ１０の駆動時間を３０秒間としたが、これらの数値は一例であり、他の時間でも同様の効果を得ることができる。
【００４５】
また、消泡行程中にステップ３２の強制給水７秒間やステップ４０の洗浄ポンプ駆動７秒間を例として記述したが、これらの動作や時間は一例であり、停止動作など他の動作を行ったり、給水や洗浄ポンプ駆動などを組み合わせても同様の効果を得ることができる。
【００４６】
また、排水モータ１０の駆動比率を１サイクル中に水位が上昇しないように計算したが、水位が上昇する排水モータ１０の駆動比率であっても水が溢れる水位に到達しないような排水モータ駆動比率以上に設定することで、同様の効果を得ることができる。
【００４７】
また、本実施例では、水位検知手段６と泡検知手段７とを別々の手段として記述したが、同一の手段であっても通常運転水位と泡発生を両方判定できる手段であれば、同様の効果を得ることができる。
【００４８】
（実施例２）
図１に示す制御手段２３は、消泡行程中にふた１４が開けられたとしても、排水手段１０以外の負荷を停止させて、消泡行程を進行するようにしている。他の構成は上記実施例１と同じである。
【００４９】
上記構成において図３を参照しながら動作を説明する。図３に示すように、制御手段２３は運転を開始すると、常時泡検知手段７にて泡の発生を監視している。ステップ４８にて泡検知手段７が泡の発生を検知すると消泡行程を運転する。
【００５０】
まず、ステップ４９にて排水ポンプ１０を６５秒間間欠駆動する。間欠駆動の内訳は、上記実施例１のステップ２５からステップ３０のように、３０秒排水、５秒休止、３０秒排水だが、上記実施例１と同様なので説明を簡略化する。
【００５１】
ステップ５０にて、ふた開検知手段１５にてふたが閉じていると判断された場合は、ステップ５１にて最大５０秒間所定水位まで給水する。
【００５２】
ステップ５０にて、ふた開検知手段１５にてふたが開いていると判断された場合は、ステップ５２にて給水弁３を動作させることなく、最大５０秒間所定水位まで待機する。通常運転中では、ふたが開いている場合、負荷をすべて停止してシーケンスも停止するが、消泡行程中は負荷をすべて停止すると排水もできなくなり、給水弁３り開放故障などが生じていた場合、機外に水が溢れてしまうことになりかねない。このため、ふたが開いている場合に給水弁３は動作させないが、シーケンスは進行させている。
【００５３】
ステップ５１またはステップ５２が終了したら、ステップ５３にてふた開を判断する。ふたが閉まっていた場合、ステップ５４にて水位検知手段６に関わらず、強制的に７秒間給水する。もし、ステップ５３にてふたが開いていた場合、ステップ５５にて７秒間待機する。
【００５４】
つぎに、ステップ５６にて排水ポンプ１０を６５秒間間欠動作させる。そして、ステップ５７にて２回繰り返したかを判断する。もし、１回しか行っていない場合はステップ５０に戻り、ステップ５０からステップ５６までを再度行う。もし、ステップ５７にて２回繰り返していた場合、ステップ５８に進む。
【００５５】
ステップ５８にて、ふた開検知手段１５にてふたが開いているかを判断し、ふたが閉じていた場合は、ステップ５９にて最大５０秒間所定水位まで給水する。
【００５６】
ステップ５８にて、ふた開検知手段１５にてふたが開いていると判断された場合は、ステップ６０にて給水弁３を動作させることなく最大５０秒間所定水位まで待機する。
【００５７】
つぎに、ステップ６１にてふた開を判断する。ふたが閉まっている場合、ステップ６２にて洗浄ポンプ５を７秒間駆動する。もし、ステップ６１にてふたが開いていた場合、ステップ６３にて７秒間待機する。
【００５８】
つぎに、ステップ６４にて排水ポンプ１０を６５秒間間欠動作させる。そして、ステップ６５にて２回繰り返したかを判断する。もし、１回しか行っていない場合、ステップ５８に戻り、ステップ５８からステップ６４まで再度行う。もし、ステップ６５にて２回繰り返していた場合、ステップ６６にて消泡行程を終了する。
【００５９】
このように本実施例によれば、給水弁３の開放故障など拡大被害につながる故障が生じているにもかかわらず消泡行程を実行したときにふたが開けられたとしても、排水ポンプ１０以外の負荷を停止させることで安全性を確保しながらも、洗浄槽１内の水位が上昇しないようにして、または水位が異常に上昇しないようにして、機外に水が溢れるのを防止することができる。
【００６０】
なお、本実施例では、ふたが開いている場合に、所定時間負荷を停止させているが、つぎのステップに進んでも同様の効果を得ることができる。例えば、ステップ５２をなくし、ステップ５０にてふたが開いていると検知した場合にすぐにステップ５３に進むようにすることである。また、ステップ５５やステップ６０やステップ６３も同様である。
【００６１】
なお、本実施例では、給水時間を最大５０秒間にし、排水ポンプ１０の駆動時間を３０秒間としたが、これらの数値は一例であり、他の時間でも同様の効果を得ることができる。
【００６２】
また、消泡行程中にステップ５４の強制給水７秒間やステップ６２の洗浄ポンプ駆動７秒間を例として記述したが、これらの動作や時間は一例であり、停止動作など他の動作を行ったり、給水や洗浄ポンプ駆動などを組み合わせても同様の効果を得ることができる。
【００６３】
また、本実施例では、水位検知手段６と泡検知手段７とを別々の手段として記述したが、同一の手段であっても通常運転水位と泡発生を両方判定できる手段であれば、同様の効果を得ることができる。
【００６４】
【発明の効果】
以上のように本発明の請求項１に記載の発明によれば、洗浄槽と、前記洗浄槽内の水位を計測する水位検知手段と、前記洗浄槽内に泡が発生したことを検知する泡検知手段と、前記洗浄槽内の水を排水する排水手段と、前記泡検知手段により泡の発生を検知すると前記排水手段を間欠駆動する消泡行程を行う制御手段とを備え、前記制御手段は、消泡行程中に前記排水手段を一定時間駆動した後も前記水位検知手段が水有りを検知している場合は、溢水異常と判断するようにしたから、溢水状態にも関わらず消泡行程を実行したとしても、消泡行程の途中でも溢水状態を判断することができ、より早期に溢水対策の処理に移り、安全性を高めることができる。
【００６５】
また、請求項２に記載の発明によれば、洗浄槽と、前記洗浄槽内に泡が発生したことを検知する泡検知手段と、前記洗浄槽内の水を排水する排水手段と、前記泡検知手段により泡の発生を検知すると前記排水手段を間欠駆動する消泡行程を行う制御手段とを備え、前記制御手段は、消泡行程の１サイクルの時間の内、排水手段の動作する時間の比率を一定以上に設定したから、給水弁の開放故障など拡大被害につながる故障が生じているにもかかわらず消泡行程を実行したとしても、消泡行程中に水位が上昇しないように、または水位が異常に上昇しないようにできて、機外に水が溢れるのを防止することができる。
【００６６】
また、請求項３に記載の発明によれば、開口部を有する洗浄槽と、前記洗浄槽内に泡が発生したことを検知する泡検知手段と、前記洗浄槽内の水を排水する排水手段と、前記洗浄槽内に給水する給水手段と、前記洗浄槽の開口部を覆うふたと、前記ふたが開いていることを検知するふた開検知手段と、前記泡検知手段により泡の発生を検知すると前記排水手段を間欠駆動する消泡行程を行う制御手段とを備え、前記制御手段は、消泡行程中に前記ふた開検知手段によってふたが開いていると判断しても、前記排水手段以外は動作させずに消泡行程を継続するようにしたから、給水弁の開放故障など拡大被害につながる故障が生じているにもかかわらず消泡行程を実行したときにふたが開けられたとしても、排水手段以外の負荷を停止させることで安全性を確保しながらも、洗浄槽内の水位が上昇しないように、または水位が異常に上昇しないようにできて、機外に水が溢れるのを防止することができる。
【図面の簡単な説明】
【図１】本発明の第１の実施例の食器洗い機のブロック回路図
【図２】同食器洗い機の要部動作フローチャート
【図３】本発明の第２の実施例の食器洗い機の要部動作フローチャート
【図４】従来の食器洗い機のブロック回路図
【図５】同食器洗い機の要部断面図
【図６】同食器洗い機の操作表示部の拡大正面図
【符号の説明】
１  洗浄槽
６  水位検知手段
７  泡検知手段
１０  排水ポンプ（排水手段）
２３  制御手段
【図１】
0004691856.tif 000002
【図２】
0004691856.tif 000003
【図３】
0004691856.tif 000004
【図４】
0004691856.tif 000005
【図５】
0004691856.tif 000006
【図６】
0004691856.tif 000007